(57)【要約】【課題】特別な構造を有しない商品吊下フックに容易に取り付けることができ、吊り下げた商品を抜き取れないようにすることが可能な商品吊下フック用盗難防止ロックを提供する。【解決手段】回動可能に連結した第１部１と第２部２からなる開閉構造を有し、施錠状態において第１部１と第２部２が閉じてその間に商品吊下フックＡのアーム部Ａ１，Ａ２が貫通する貫通部５，６が形成されるようにし、さらに、前記貫通部５，６はアーム部Ａ１，Ａ２に設けられた変形部Ａ３を通過できない形状ないし大きさとしている。【選択図】図１
0003155806.tif 000002
【実用新案登録請求の範囲】
【請求項１】
回動可能に連結した第１部（１）と第２部（２）からなる開閉構造を有し、施錠状態において第１部（１）と第２部（２）が閉じてその間に商品吊下フック（Ａ）のアーム部（Ａ１）（Ａ２）が貫通する貫通部（５）（６）が形成されるようにし、さらに、前記貫通部（５）（６）はアーム部（Ａ１）（Ａ２）に設けられた変形部（Ａ３）を通過できない形状ないし大きさとしていることを特徴とする商品吊下フック用盗難防止ロック。
【請求項２】
商品吊下フック（Ａ）に設けられた２本のアーム部（Ａ１）（Ａ２）に対応する２つの貫通部（５）（６）を有する請求項１記載の商品吊下フック用盗難防止ロック。
【請求項３】
第１部（１）と第２部（２）のいずれか一方に、閂（３）、及び適合するキー（７）を差し込むと外部から閂（３）を操作できるようにした閂操作手段（４）を設け、他方に前記閂（３）を受ける受け部（２４）を設け、閂（３）と受け部（２４）が第１部（１）と第２部（２）が閉じたときの内部において係合することにより施錠状態になり、前記閂操作手段（４）以外では開錠できないようにした請求項１又は２記載の商品吊下フック用盗難防止ロック。
【考案の詳細な説明】
【技術分野】
【０００１】
この考案は、各種の店舗に設置されている横方向に延びる丸棒状のアームを有する商品吊下フックに取り付けて、吊り下げられた商品の盗難を防止できるようにした盗難防止ロックに関するものである。
【背景技術】
【０００２】
スーパーマーケットやホームセンター等の店舗において、各種の商品を吊り下げて陳列するようにした横方向に延びる丸棒状のアームを有する商品吊下フックが使用されている。この商品吊下フックは、吊り下げられた商品を客が自由にアームから抜き取ってレジで精算できるようにしている場合もあるが、衣服その他高額な商品は、万引き等の盗難防止のため、客が商品を自由に抜き取れないようにしたい場合がある。
【０００３】
そのため、従来、特許文献１に記載のような、アーム３の先端にねじ部５を設けると共に、アーム３に吊り下げた商品を抜き取れないようにするためのストッパー手段２を前記ねじ部５に取り付けるようにした商品吊下フックがあった。
【０００４】
しかし、特許文献１に記載のものは、商品吊下フック自体を特別な構造とするものであり、商品吊下フックの構造が複雑化し、設置に高いコストがかかったり、取り扱いに手間がかかったりする等の問題があった。
【先行技術文献】
【特許文献】
【０００５】
【特許文献１】特開２００２−２５３４０３号公報
【考案の概要】
【考案が解決しようとする課題】
【０００６】
そこで、この考案は、特別な構造を有しない商品吊下フックに容易に取り付けることができ、吊り下げた商品を抜き取れないようにすることが可能な商品吊下フック用盗難防止ロックを提供することを課題とする。
【課題を解決するための手段】
【０００７】
前記課題を解決するため、この考案は次のような技術的手段を講じている。
【０００８】
この考案の商品吊下フック用盗難防止ロックは、回動可能に連結した第１部１と第２部２からなる開閉構造を有し、施錠状態において第１部１と第２部２が閉じてその間に商品吊下フックＡのアーム部Ａ１，Ａ２が貫通する貫通部５，６が形成されるようにし、さらに、前記貫通部５，６はアーム部Ａ１，Ａ２に設けられた変形部Ａ３を通過できない形状ないし大きさとしている。
【０００９】
商品吊下フックＡに設けられた２本のアーム部Ａ１，Ａ２に対応する２つの貫通部５，６を有するものとしてもよい。
【００１０】
また、第１部１と第２部２のいずれか一方に、閂３、及び適合するキー７を差し込むと外部から閂３を操作できるようにした閂操作手段４を設け、他方に前記閂３を受ける受け部２４を設け、閂３と受け部２４が第１部１と第２部２が閉じたときの内部において係合することにより施錠状態になり、前記閂操作手段４以外では開錠できないようにしたものとすることもできる。
【考案の効果】
【００１１】
この考案の商品吊下フック用盗難防止ロックは、上述のような構成を有しており、一般的な商品吊下フックＡのアーム部Ａ１，Ａ２に、第１部１と第２部２を開閉させることにより容易に取り付けられるとともに、施錠状態にすることによりアーム部Ａ１，Ａ２に吊り下げられた商品の盗難を防止することができる。
【００１２】
商品吊下フックＡに設けられた２本のアーム部Ａ１，Ａ２に対応する２つの貫通部５，６を有するものとすれば、より取り外し難くできるとともに、一方のアーム部に吊り下げられた商品の重量を２本のアーム部Ａ１，Ａ２に分散させ、前記一方のアーム部の負担を軽減することができる。
【００１３】
また、第１部１と第２部２のいずれか一方に、閂３、及び適合するキー７を差し込むと外部から閂３を操作できるようにした閂操作手段４を設け、他方に前記閂３を受ける受け部２４を設け、閂３と受け部２４が第１部１と第２部２が閉じたときの内部において係合することにより施錠状態になり、前記閂操作手段４以外では開錠できないようにしたものとすれば、適合するキー７を持つ者だけがこの盗難防止ロックを取り外すことができるようになる。
【図面の簡単な説明】
【００１４】
【図１】この考案の実施形態の商品吊下フック用盗難防止ロックの使用状態の斜視図である。
【図２】この考案の実施形態の商品吊下フック用盗難防止ロックの、第１部と第２部を開いた場合の斜視図である。
【図３】この考案の実施形態の商品吊下フック用盗難防止ロックの、第１部と第２部を閉じた場合の斜視図である。
【図４】この考案の実施形態の商品吊下フック用盗難防止ロックの分解斜視図である。
【図５】この考案の実施形態の商品吊下フック用盗難防止ロックにキーを差し込んだ場合の縦断面図である。
【考案を実施するための形態】
【００１５】
以下、この考案の好適な実施形態を、図面を参照して説明する。
【００１６】
この商品吊下フック用盗難防止ロックは、回動可能に連結した第１部１と第２部２からなる開閉構造を有し、施錠状態において第１部１と第２部２が閉じてその間に商品吊下フックＡのアーム部Ａ１，Ａ２が貫通する貫通部５，６が形成されるようにし、さらに、前記貫通部５，６はアーム部Ａ１，Ａ２に設けられた変形部Ａ３を通過できない形状ないし大きさとしたものである。
【００１７】
図１に示したように、この盗難防止ロックは、スーパーマーケットやホームセンター等の店舗において設置されている商品吊下フックＡに取り付けることができる。商品吊下フックＡは、商品Ｂを吊り下げるための横方向に延びる丸棒状のアーム部Ａ１，Ａ２を有しており、盗難防止ロックは商品Ｂの手前側に取り付けられる。
【００１８】
アーム部Ａ１，Ａ２は上下２本あり、主に上方のアーム部Ａ１は値札やラベル等を取り付けるために使用され、下方のアーム部Ａ２は商品Ｂを吊り下げるために使用される。各アーム部Ａ１，Ａ２は、商品Ｂ等の脱落防止のため、先端部が上方に向かって傾斜するように曲げられている。このような曲げられた部分を変形部Ａ３とする。なお、変形部Ａ３としては、曲げられたものに限られず、径を太くしたもの等であってもよい。
【００１９】
この商品吊下フック用盗難防止ロックは、比較的大きな第１部１と小さな第２部２で構成されている。第１部１と第２部２は、主にダイカスト等の金属等で形成することができる。図２〜４に示したように、第１部１と第２部２は、互いの対向する面が開放した２つ割れの容器のような形状であり、図中右側の第１部１の上端部には、前後に二股状の軸受部１０が設けられており、この軸受部１０の間に、図中左側の第２部２の上端部に設けられた軸通部２０を挟むとともに、軸通部２０を貫通する軸８の両端部が軸受部１０に回動可能に支持されることにより、第１部１と第２部２からなる開閉構造が構成されている。
【００２０】
第１部１は、ほぼ対称な台形状とした前壁１１と後壁１２、及び前壁１１と後壁１２間の右壁１３を有し、これらの壁に囲まれた内側部分には、閂３及び閂操作手段４等を設けている。閂操作手段４はシリンダー錠４０等から構成され、第１部１の前壁１１と後壁１２には、左端縁部に貫通部５，６の一部となる切欠部５ａ，６ａが上下に２箇所形成されている。右壁１３には、下部にシリンダー錠４０のシリンダー４１の端面が露出する丸孔が設けられている。
【００２１】
シリンダー錠４０は、シリンダー４１、シリンダーホルダー４２、タンブラー４３、タンブラーピン４４、タンブラースプリング４５、シリンダーピン４６、蓋４７から構成される。シリンダーホルダー４２は、左右方向（第２部２に向かう方向）に延びる筒状部４２ａと、上下方向に延びるタンブラー４３、タンブラーピン４４及びシリンダーピン４６を収容する孔４２ｂを有し、第２部２側に上下方向に延びる筒状の閂収容部４２ｃと、第１部１に固定するための固定ピン４８を挿通させる前後方向に貫通した孔４２ｄを一体に形成したものとしている。固定ピン４８の両端部は、第１部１の前壁１１と後壁１２に設けられた固定孔１４に嵌められる。
【００２２】
シリンダー４１は、一端側に突出部４１ａ、他端側にキー孔４１ｂを有し、周面にタンブラーピン４４が出入する孔４１ｃを複数設けている。突出部４１ａは、シリンダー４１の一端面の下側の略半円形部分が第２部２に向かって数ｍｍ程度突出したものとしている。また、第２部２寄りの位置には、シリンダーピン４６が入る溝４１ｄを設けている。
【００２３】
このシリンダー錠４０は、図５に示したように、一般的に普及しているものと同様に、適合する番手のキー７をキー孔４１ｂに差し込むと、タンブラーピン４４が押し上げられ、シリンダー４１が回転可能となる。シリンダー４１は、キー孔４１ｂに差し込んだキー７を操作することにより、シリンダーホルダー４２内で回転させられるが、前記溝４１ｄに入るシリンダーピン４６によって回転範囲が規制されるようにしている。
【００２４】
この実施形態では、差し込んだキー７を垂直な状態から時計回りに６０度程度まで回転させられるようになっており、時計回りに回転させると開錠状態になり、反時計回りに回転させると施錠状態になるようにしている。
【００２５】
閂収容部４２ｃには、丸棒状の閂３と、この閂３を下方に付勢する閂バネ３１が収容されている。閂３には、中間部の右側に凹部３２が形成されており、この凹部３２に前記シリンダー４１の一端側の突出部４１ａが入るようにしている。突出部４１ａは、シリンダー４１が時計回りに回転したときに、閂３を上昇させるカムの役割を果たす。
【００２６】
第２部２は、ほぼ対称な略Ｌ字状とした前壁２１と後壁２２、及び前壁２１と後壁２２間の左壁２３を有し、左壁２３の下端の右側に突出した部分の内側に前記閂３を受ける受け部２４が設けられている。受け部２４は上下方向に深みのある凹部として形成されている。なお、シリンダー錠４０や閂３を第２部２に設け、受け部２４を第１部１に設けてもよい。
【００２７】
第２部２の前壁２１と後壁２２には、右端縁部に、前記第１部１の切欠部５ａ，６ａとともに貫通部５，６の一部となる切欠部５ｂ，６ｂが上下に２箇所形成されている。
【００２８】
第２部２の前壁２１と後壁２２との間隔は、第１部１の前壁１１と後壁１２との間隔よりも小さく、第１部１と第２部２が閉じたときに、第２部２の前壁２１と後壁２２の各縁部が、第１部１の前壁１１と後壁１２の各縁部の間に入るようになっており（図３参照）、閂３と受け部２４は、第１部１と第２部２を構成する壁に囲まれた内部の領域にあり、適合するキー７以外によっては、閂３を操作できないようにしている。
【００２９】
第１部１と第２部２が閉じた施錠状態において、閂収容部４２ｃにおける閂３は、閂バネ３１により下方に付勢され、受け部２４と係合した状態にあるが、キー７の操作によりシリンダー４１を時計回りに回転させると、その一端側の突出部４１ａが閂３を上方に押し上げ、第１部１と第２部２との施錠状態が解除されて開錠状態となる。
【００３０】
なお、開錠状態から施錠状態にするには、キー７を要することなく、第１部１と第２部２を閉じるだけで施錠状態にできることが望ましい。この実施形態では、左壁２３の下端の右側に突出した部分の先端（図４中の受け部２４の右側）に傾斜面２５を設け、第１部１と第２部２を閉じるときに、この傾斜面２５が閂３を押し上げつつ移動し、閂３が受け部２４に嵌って施錠状態となるようにしている。
【００３１】
この盗難防止ロックを商品吊下フックＡに取り付けるには、第１部１と第２部２が開いた開錠状態にし、第１部１と第２部２の各切欠部５ａ，５ｂ，６ａ，６ｂの間に商品吊下フックＡのアーム部Ａ１，Ａ２を挟んで、第１部１と第２部２を閉じて施錠状態にする。
【００３２】
第１部１における上方の切欠部５ａと第２部２における上方の切欠部５ｂは、ほぼ左右対称に左右方向に凹んだ部分であり、第１部１と第２部２が閉じたとき、両者が合わさって角部が丸みを帯びた略正方形の貫通部５を形成する。
【００３３】
また、第１部１における下方の切欠部６ａと第２部２における下方の切欠部６ｂは、ほぼ左右対称に左右方向に凹んだ部分であり、第１部１と第２部２が閉じたとき、両者が合わさって角部が丸みを帯びた上下方向に長い略長方形の貫通部６を形成する。
【００３４】
これらの貫通部５，６の大きさや形状は、商品吊下フックＡのアーム部Ａ１，Ａ２に設けられた変形部Ａ３を通過できない形状ないし大きさとしている。アーム部Ａ１，Ａ２は、図示したように先端部に上方に曲げられた変形部Ａ３を有するものとしており、変形部Ａ３に沿って盗難防止用ロックを傾けて移動させようとしても、第１部１及び第２部２の前壁２１及び後壁２２間にわたる貫通部５，６が変形部Ａ３を通過できないようになっている。
【００３５】
具体的には、貫通部５，６を構成する第１部１及び第２部２の各切欠部の大きさや形状、貫通部５，６の長さ（対向する第１部１及び第２部２の両切欠部間の距離）等を適宜設定して、貫通部５，６内にアーム部Ａ１，Ａ２の変形部Ａ３を収容しきれない態様とすることにより貫通部５，６が変形部Ａ３を通過できないようにすることができる。例えば、貫通部５，６の前後両端部の最大径の大きさをアーム部Ａ１，Ａ２の径よりわずかに大きい程度として、所定角度以上に曲がったアーム部Ａ１，Ａ２の変形部Ａ３を通過できないようにする。
【００３６】
なお、図示したようにアーム部Ａ１，Ａ２が２本ある場合は、片方の貫通部のみが変形部Ａ３を通過できない形状ないし大きさとすればよい。あるいは、２本のアーム部Ａ１，Ａ２の長さが異なる場合等において、各貫通部５，６を単独で使用したときには変形部Ａ３を通過してしまうが、双方の貫通部５，６で２本のアーム部Ａ１，Ａ２に取り付けたときには変形部Ａ３を通過できないようにしてもよい。
【００３７】
この実施形態では、上方の貫通部５を上方のアーム部Ａ１の径よりわずかに大きい略正方形状として、前記アーム部Ａ１の変形部Ａ３を通過できないようにしており、下方の貫通部６は略長方形状とすることにより、２本のアーム部Ａ１，Ａ２の間隔が少し異なる商品吊下フックＡに取り付ける場合や、２本のアーム部Ａ１，Ａ２の向きに若干くるいが生じて完全な平行ではなくなった場合でも、これら２本のアーム部Ａ１，Ａ２に各貫通部５，６を貫通させられるようにしている。
【００３８】
このように貫通部５，６を、比較的小さいものと、アーム部の径に対して余裕のある大きなものの２種とする場合は、盗難防止ロックは上方の貫通部５に通したアーム部Ａ１にぶら下がる態様になるので、上方の貫通部５を小さいものとし、下方の貫通部６を大きなものとする方が、取り付け状態が安定する。
【００３９】
また、アーム部が２本ある場合においては、通常、上方のアーム部Ａ１は商品Ｂに関する値札等を取り付けるために使用し、商品Ｂを吊り下げるのは下方のアーム部Ａ２のみであるため、盗難防止ロックの貫通穴は１つのみでもよいが、２つの貫通孔を設けたものとすれば、２本のアーム部Ａ１，Ａ２が盗難防止ロックを介して連結され、商品Ｂの重量が２本のアーム部Ａ１，Ａ２に分散されるので、一方のアーム部のみに負担がかかるのを防止することができる。
【００４０】
アーム部Ａ２から商品Ｂを取り外すときには、適合するキー７を盗難防止ロックのキー孔４１ｂに差し込み、時計方向に回転させることにより開錠状態にし、第１部１と第２部２を開いて盗難防止ロックをアーム部Ａ１，Ａ２から取り外し、続いて商品Ｂをアーム部Ａ２から取り外す。適合するキー７は、普段は厳重に管理され、客の要望があった場合にのみ店員が利用できるようにすることが望ましい。なお、キー７の番手に対応した色や模様等を付したシール１５を第１部又は第２部のいずれかに貼付して、関係者がすぐに適合するキーを見つけられるようにするとよい。
【００４１】
この盗難防止ロックを使用すれば、容易かつ安価に既成の一般的な商品吊下フックのアーム部に取り付け、吊り下げられた商品の盗難を防止できる。また、吊り下げる商品が増えて重量が増したためにアーム部が傾いた場合に、商品の脱落を防止できるという効果もある。
【００４２】
さらに、この実施形態では、第１部１と第２部２の開閉構造の支点（軸受部１０、軸通部２０）が上端部に位置するため、開閉時にアーム部Ａ１，Ａ２に引っ掛かって脱落しにくく、開閉操作も容易である。
【００４３】
以上がこの考案の好適な実施形態であるが、この考案は上述の実施形態の構成に限定されるものではなく、形状、寸法、材質等を適宜変更して実施することができる。
【符号の説明】
【００４４】
１  第１部
２  第２部
２４  受け部
３  閂
４  閂操作手段
５，６  貫通部
７  キー
Ａ  商品吊下フック
Ａ１，Ａ２  アーム部
Ａ３  変形部
【図１】
0003155806.tif 000003
【図２】
0003155806.tif 000004
【図３】
0003155806.tif 000005
【図４】
0003155806.tif 000006
【図５】
0003155806.tif 000007